(57)【要約】【課題】花粉症原因草木に対する粘結剤の選択、粘結性液の付与時期、粘結性液の濃度、付与量を適性に決定することができる凝集花粉の検査装置を提供すること。【解決手段】上部の一方の側の空気吸入口（１）と他方の側の空気排気口（２）とを有する筐体（３）と、上記排気口（２）に連結している吸引装置（４）と、上記筐体の上部空間を吸入口側と排気口側とに２分画して区画Ｘと区画Ｙとを形成する中仕切り（５）と、区画Ｘ内の上方に設けられたスクリーン（６）と、区画Ｙ内の上方に設けられたスクリーン（７）とを備えていることを特徴とする凝集花粉の検査装置。【選択図】図１
2009008557.tif 000002
【特許請求の範囲】
【請求項１】
上部の一方の側の空気吸入口（１）と他方の側の空気排気口（２）とを有する筐体（３）と、上記排気口（２）に連結している吸引装置（４）と、上記筐体の上部空間を吸入口側と排気口側とに２分画して区画Ｘと区画Ｙとを形成する中仕切り（５）と、区画Ｘ内の上方に設けられたスクリーン（６）と、区画Ｙ内の上方に設けられたスクリーン（７）とを備えていることを特徴とする凝集花粉の検査装置。
【発明の詳細な説明】
【技術分野】
【０００１】
本発明は、凝集花粉の検査装置に関し、さらに詳しくは花粉の発生源である花蕾を粘結性液により処理した際の花粉の凝集状態を調べる凝集花粉の検査装置に関する。
【背景技術】
【０００２】
戦後の拡大林業政策により全国一斉に杉が植林され、加樹齢とともに、大量の花粉が発生し、１９７０年から１９８０年にかけて、花粉症の発病が急増し、その後も花粉症患者は増え続けている。また、近年はヒノキが多量に植林され、今後ヒノキの花粉症患者も増加すると予想されている。上記花粉症の対策としては、マスクやメガネの着用など、花粉を体内に入れないようにしたり、花粉症状を抑える抗アレルギー薬や、症状を抑える抗ヒスタミン剤の服用、ステロイド点鼻薬などが使用されているが、花粉症の根本的な対策とはなっていない。
【０００３】
また、花粉の少ない杉の品種改良、マレイン酸誘導体による花粉発生抑制剤、重炭酸ソーダで杉花粉の外殻構造を破壊し、花粉の飛散を抑制するなどが研究されているが、実用化には至っていない。
【発明の開示】
【発明が解決しようとする課題】
【０００４】
上記花粉の飛散防止方法として、花粉症原因草木の開花時期に、当該草木に粘結性液を噴霧し、花粉の発生源である花蕾中の花粉を凝集させ、凝集花粉の落下速度を速めて花粉の飛散を防止する方法が提案されている（特願２００７−１３３１８２号明細書参照）。上記方法は花粉の飛散防止に有効であるが、花粉症原因草木に対する粘結性液の付与量は膨大な量になることから、粘結剤の選択、粘結性液の付与時期、粘結性液の濃度、付与量を適性に決定することが求められている。
【０００５】
従って本発明の目的は、花粉症原因草木に対する粘結剤の選択、粘結性液の付与時期、粘結性液の濃度、付与量を適性に決定することができる凝集花粉の検査装置を提供することである。
【課題を解決するための手段】
【０００６】
上記目的は以下の本発明によって達成される。すなわち、本発明は、上部の一方の側の空気吸入口（１）と他方の側の空気排気口（２）とを有する筐体（３）と、上記排気口（２）に連結している吸引装置（４）と、上記筐体の上部空間を吸入口側と排気口側とに２分画して区画Ｘと区画Ｙとを形成する中仕切り（５）と、区画Ｘ内の上方に設けられたスクリーン（６）と、区画Ｙ内の上方に設けられたスクリーン（７）とを備えていることを特徴とする凝集花粉の検査装置を提供する。
【発明の効果】
【０００７】
本発明によれば、粘結性液による花粉の凝集状態を容易に調べることができる凝集花粉の検査装置を提供することができる。
【発明を実施するための最良の形態】
【０００８】
次に好ましい実施の形態を図面に示す実施例により説明する。本発明の凝集花粉の検査装置は、筐体３と吸引装置４とを主体としており、筐体３は略矩形の箱型であり、材料は金属製、木材製、ガラス製など、如何なる材質であってもよい。内容量も特に限定されないが、例えば、横×縦×奥行きが３０〜５０ｃｍ×４０〜６０ｃｍ×４０〜６０ｃｍで、内容積が約５０〜１８０Ｌ程度である。
【０００９】
上記筐体３は、天井からの高さの１／２〜２／３程度垂下している中仕切り５によって左右に区画され、図面上左区画Ｘと右区画Ｙに区分されている。区画Ｘの上方には、空気を吸入する吸入口１が設けられ、該吸入口１には空気中の塵埃の吸入を防止するためのスクリーンが設けられていることが好ましい。中仕切り５と筐体３の壁面との間には花粉または凝集花粉が通過するスクリーン６（孔径１００〜５００μｍ程度）が設けられている。一方、図面上右側の区画Ｙには、中仕切り５と筐体３の壁面との間には上記のスクリーン６と同様なスクリーン７が設けられている。筐体３の底部には、図面上左方向に引き出し可能な引き出し８が設けられていることが好ましい。
【００１０】
前記排気口２は、流量計（風速計）９を経由して吸引装置４に連結しており、吸引装置４の吸引によって、空気が、吸入口、スクリーン６、７を経由して流れるようになっており、流量計９の制御によって空気の流量が調整される。上記の吸引装置４は特に限定されず、一般の掃除機などが使用可能である。
【００１１】
上記構成からなる本発明の凝集花粉の検査装置の使用方法を説明する。花粉症原因草木の一例として杉花粉を挙げる。開花時期における杉の花蕾を採取および乾燥し、その一部を未処理検体（検体Ａ：粘結性液が付与されていないもの）とし、他の一部に、ポリビニルアルコール１質量％水溶液を均一に噴霧した後、常温で２４時間放置して十分に乾燥し、処理検体（検体Ｂ）とする。
【００１２】
まず、前記吸引装置４を作動させ、流量計９により筐体３内の空気流を安定化する。上記検体Ａの所定量を、検体出入口から前記スクリーン６上に散布する。グリセリンや液状のポリエチレングリコールなどの粘着性液体１０−１を表面に塗布したガラス板１１−１を、引き出し８上に載置する。また、前記スクリーン７上には、ガラス板の取り出し口から、粘着性液体１０−２の塗布面を下に向けて上記と同じガラス板１１−２を載置する。スクリーン６に多少の振動を与えつつ一定時間空気を流した後、ガラス板１１−１の表面に付着した花粉を顕微鏡にて観察する。その結果として検体Ａの場合には、ガラス板１１−１の表面には殆ど花粉が観察されず、一方、ガラス板１１−２の表面には多数の花粉が観察される。このことは検体Ａの花粉は殆ど凝集していないことを示す。
【００１３】
次に、検体Ａに代えて同量の検体Ｂを用いて上記と同一条件でガラス板１１−１に対する凝集花粉の付着と、ガラス板１１−２に対する非凝集花粉の付着状態を顕微鏡にて観察する。その結果、ガラス板１１−１には凝集花粉が多数付着しており、ガラス板１１−２には非凝集の花粉が幾分付着していることが分かる。ガラス板１１−１に付着した凝集花粉の大きさから、１個の凝集花粉の花粉個数を推定し、ガラス板１１−２に付着している非凝集花粉数と対比する。その結果、ガラス板１１−２に対する非凝集花粉の付着割合が少ない程、検体Ｂ中の花粉の凝集が進んでいることが分かる。凝集花粉は、単体の花粉の数十倍の重さになっており、飛散性が著しく低下していることが分かる。
【００１４】
上記において、ポリビニルアルコール水溶液の濃度、溶液付着量を種々変更することで、ポリビニルアルコール水溶液の最適の濃度および付着量が決定される。また、粘結性液としては、ポリビニルアルコール以外にポリ乳酸、酢酸セルロース、ポリヒドロキシ酪酸、硅酸ソーダ、コロイダルシリカ、澱粉、糖蜜、ソルビトール、グルコース、グリセリン、ポリエチレングリコールなど、多数のものが使用できるが、前記ポリビニルアルコールに代えて他の粘結剤を使用することで、杉花粉に適した粘結剤が選択できる。さらに、檜花粉やブタクサ花粉に対しても同様に試験して最適の粘結剤の種類、その濃度、付着量などを決定することができる。
【００１５】
上記の試験結果により、実際の花粉飛散防止方法で使用する粘結剤の種類、濃度、付着量などを容易に決定することができる。
【産業上の利用可能性】
【００１６】
本発明によれば、粘結性液による花粉の凝集状態を容易に調べることができる凝集花粉の検査装置を提供することができる。
【図面の簡単な説明】
【００１７】
【図１】本発明の装置を説明する図
【符号の説明】
【００１８】
１：吸入口
２：排気口
３：筐体
４：吸引装置
５：中仕切り
６、７：スクリーン
８：引き出し
９：流量計
１０：粘着性液体
１１：ガラス板
【図１】
2009008557.tif 000003